(57)【要約】【課題】排水ヘッダーを簡単に装着して所望の高さに保持することができ、しかも排水ヘッダーの浮上を確実に防止することができる簡便な排水ヘッダーの固定具を提供する。【解決手段】排水ヘッダー２を保持する略Ｕ字状の保持帯１ｃを左右一対の脚体１ｂ，１ｂに高さ調節自在に取付け、保持帯１ｃの左右上端に形成したヘッダー押え片１ｈ，１ｈに、排水ヘッダーの左右の浮上防止突起２ａ，２ａが嵌まり込む孔１ｊ，１ｊを設けた構成の固定具とする。排水ヘッダー２を保持帯１ｃに嵌め込むだけで簡単に装着、保持することができ、保持帯１ｃの高さを調節することにより排水ヘッダー２を所望の高さに保持できる。排水ヘッダー２はヘッダー押え片１ｈ，１ｈで押えられると同時に、浮上防止突起２ａ，２ａが孔１ｊ，１ｊに嵌まり込むため、排水ヘッダー２の浮上を阻止できる。【選択図】　図３
2004137732.tif 000002
【特許請求の範囲】
【請求項１】
排水ヘッダーを保持する略Ｕ字状の保持帯を左右一対の脚体に高さ調節自在に取付け、保持帯の左右上端に形成したヘッダー押え片に、排水ヘッダーの左右の浮上防止突起が嵌まり込む孔を設けたことを特徴とする排水ヘッダーの固定具。
【請求項２】
左右一対の脚体に上下方向のスリットをそれぞれ形成し、保持体の左右上部から両外側へ突き出すネジ杆をスリットに挿通すると共に、ナットをネジ杆に螺合して締め付けることにより、保持帯を脚体に高さ調節自在に取付けた、請求項１に記載の排水ヘッダーの固定具。
【請求項３】
ヘッダー押え片の上端部を斜め外側に屈曲させて、排水ヘッダーを上方から保持帯に嵌め込んで保持させるときのガイド部を形成した、請求項１に記載の排水ヘッダーの固定具。
【発明の詳細な説明】
【０００１】
【発明の属する技術分野】
本発明は、床下に設置される排水ヘッダーを保持、固定する固定具に関する。
【０００２】
【従来の技術】
近年、床下に排水ヘッダーを固定具を用いて設置し、この排水ヘッダーに浴室、洗面台、台所等からの排水枝管を接続して各排水を合流させ、家屋の基礎コンクリートに埋設した基礎貫通部材に排水ヘッダーからの排水主管を接続して屋外に排水するようにした排水システムが提案されている。このような排水システムを採用すると、屋外に設置する排水桝の個数を従来の半数以下に削減して大幅なコストダウンと屋外の美観の向上を図ることができるため、今後、急激に普及するものと思われる。
【０００３】
上記排水システムに使用する排水ヘッダーの固定具は、排水ヘッダーを簡単に装着して保持できること、排水ヘッダーを所望の高さに保持できること、排水ヘッダーの浮上を防止できること、等の条件が要求される。特に、排水ヘッダーに排水主管や排水枝管が接続されると、排水ヘッダーを浮上させる力が作用して排水ヘッダーが浮き上がる場合があり、このように排水ヘッダーが浮き上がると、排水ヘッダーの上流側の排水主管や排水枝管の流れ勾配が減少したり、逆の流れ勾配がついたりして、排水の流れが非常に悪くなるため、排水ヘッダーの浮上を防止することは極めて重要である。
【０００４】
しかしながら、上記の諸条件を満たした簡便な固定具は未だ開発されていないのが実情である。
【０００５】
【発明が解決しようとする課題】
斯かる実情に鑑み、本発明は、排水ヘッダーを簡単に装着して所望の高さに保持することができ、しかも、排水ヘッダーの浮上を確実に防止することができる簡便な排水ヘッダーの固定具を提供することを解決課題とするものである。
【０００６】
【課題を解決するための手段】
上記課題を解決する本発明の排水ヘッダーの固定具は、排水ヘッダーを保持する略Ｕ字状の保持帯を左右一対の脚体に高さ調節自在に取付け、保持帯の左右上端に形成したヘッダー押え片に、排水ヘッダーの左右の浮上防止突起が嵌まり込む孔を設けたことを特徴とするものである。
【０００７】
このような構成の固定具は、排水ヘッダーを上方から略Ｕ字状の保持帯に嵌め込むだけで簡単に装着、保持することができ、保持帯の高さ調節を行うことによって排水ヘッダーを所望の高さに保持することができる。そして、排水ヘッダーを保持帯に嵌め込んで保持させると、排水ヘッダーがヘッダー押え片によって押えられると同時に、排水ヘッダーの浮上防止突起が保持帯のヘッダー押え片の孔に嵌まり込んで浮上不能に係合するため、排水ヘッダーの浮上を確実に阻止することができる。
【０００８】
本発明の固定具においては、左右一対の脚体に上下方向のスリットをそれぞれ形成し、保持体の左右上部から両外側へ突き出すネジ杆をスリットに挿通すると共に、ナットをネジ杆に螺合して締め付けることにより、保持帯を脚体に高さ調節自在に取付けることが好ましい。このように保持帯を取付けると、ナットを緩めて保持帯をスリットに沿って上下に移動させ、再びナットを締め付けることによって、保持帯の高さを簡単に調節できるようになる。
【０００９】
また、本発明の固定具においては、ヘッダー押え片の上端部を斜め外側に屈曲させて、排水ヘッダーを上方から保持帯に嵌め込んで保持させるときのガイド部を形成することが好ましい。このようなガイド部が形成されていると、排水ヘッダーを上方から嵌め込むときにガイド部によってヘッダー押え片が両側へ弾性的に拡開し、排水ヘッダーを嵌め込み易くなるため、排水ヘッダーの装着作業が一層が容易になる。
【００１０】
【発明の実施の形態】
以下、図面を参照して本発明の具体的な実施形態を詳述する。
【００１１】
図１は本発明の一実施形態に係る排水ヘッダーの固定具の斜視図、図２は同固定具の使用状態を示す斜視図、図３は同固定具の使用状態における断面図である。
【００１２】
この排水ヘッダーの固定具１は、図１に示すように、基板１ａと、左右一対の脚体１ｂ，１ｂと、略Ｕ字状の保持帯１ｃを備えている。基板１ａは、帯状の金属板からなるもので、その両側縁を上方に折り曲げることによって曲げ強度を向上させている。
【００１３】
また、左右一対の脚体１ｂ，１ｂも、帯状の金属板の両側縁を内側に直角に折り曲げて曲げ強度を向上させたものであり、この脚体１ｂ，１ｂには上下方向のスリット１ｄ，１ｄが形成されている。これらの脚体１ｂ，１ｂは、その下端部１ｅ，１ｅをＬ形に折り曲げて基板１ａに溶接することにより、垂直に起立した状態で基板１ａに取付けられている。
【００１４】
排水ヘッダー２を保持する保持帯１ｃは、帯状の金属板を略Ｕ字状に曲成したもので、この保持帯１ｃの左右上部１ｆ，１ｆは両外側に凸曲されており、この凸曲された左右上部１ｆ，１ｆには、両外側へ向かって突き出すネジ杆１ｇ，１ｇが溶接等の手段で固着されている。そして、この保持帯１ｃの左右上端を斜め内側に折り曲げることによって、ヘッダー押え片１ｈ，１ｈが形成されており、これらのヘッダー押え片１ｈ，１ｈの上端部を更に斜め外側に屈曲させることによって、排水ヘッダー２を上方から保持帯１ｃに嵌め込んで保持させるときのガイド部１ｉ，１ｉが形成されている。また、これらのヘッダー押え片１ｈ，１ｈには、排水ヘッダー２の左右の浮上防止突起２ａ，２ａが嵌まり込む方形の孔１ｊ，１ｊが設けられている。
【００１５】
この保持帯１ｃは、上記のネジ杆１ｇ，１ｇを左右の脚体１ｂ，１ｂのスリット１ｄ，１ｄに挿通し、このネジ杆１ｇ，１ｇに蝶ナット１ｋ，１ｋを螺合して締め付けることによって、脚体１ｂ，１ｂに高さ調節自在に取付けられている。
【００１６】
次に、この固定具１によって保持、固定される排水ヘッダー２について簡単に説明する。
【００１７】
この排水ヘッダー２は、複数の合成樹脂製のヘッダー用継手２ｂを一列に並べて水密的に接続すると共に、その両端部に位置するヘッダー用継手２ａに端部閉塞材２ｃ，２ｄを水密的に接続したものである。
【００１８】
ヘッダー用継手２ｂは、図２，図４に示すように、両端に挿口２ｅと受口２ｆを有し、側面に排水枝管の接続口２ｇを有するもので、図５に示すように、ヘッダー用継手の挿口２ｅを次のヘッダー用継手の受口２ｆに挿入して接着することにより、水密的に接続されている。そして、このヘッダー用継手２ｂの受口２ｆの外面には、上記固定具１の保持帯１ｃが嵌まる浅い凹溝２ｈが形成されており、この溝部２ｈには、上記保持帯１ｃの孔１ｊに嵌まり込む直角三角形断面形状の左右一組の浮上防止突起２ａ，２ａが形成されている。
【００１９】
尚、２ｉはヘッダー用継手２ｂの上面に形成された点検口、２ｊは点検口２ｉに螺合されるキャップ、２ｋは挿口２ｅの付根部分の外面に形成された一対の凸部、２ｍは受口２ｆから突設された突片であり、上記のようにヘッダー用継手２ｂを接続すると、一方のヘッダー用継手の突片２ｍが他方のヘッダー用継手の凸部２ｋ，２ｋの間に挿入されて、挿口２ｅと受口２ｆの相対的な回動が阻止されるため、ヘッダー用継手２ｂは捻じれを生じることなく直立姿勢のまま接続されるようになる。
【００２０】
また、排水ヘッダー２の下流側の端部閉塞材２ｄは、図６に示すように、ヘッダー用継手の受口と同じ受口２ｆと、下流側の排水主管３ｂの接続口２ｎを有するものであって、この受口２ｆには、ヘッダー継手２ｂの凹溝および浮上防止突起と同一の凹溝２ｈおよび浮上防止突起２ａが形成されている。この端部閉塞材２ｄは、その受口２ｆに下流側端部のヘッダー用継手２ｂの挿口２ｅを挿入して接着することにより、水密的に接続されている。
【００２１】
また、排水ヘッダー２の上流側の端部閉塞材２ｃは、図７に示すように、ヘッダー用継手２ｂの挿口と同じ挿口２ｅと、上流側の排水主管３ａの接続口２ｎを有するものであり、この挿口２ｅを上流側端部のヘッダー用継手２ｂの受口２ｆに挿入して接着することにより、水密的に接続されている。
【００２２】
尚、上記の端部閉塞材２ｃ，２ｄにも、回り止め用の一対の凸部２ｋ，２ｋと突片２ｍが形成されおり、捻じれを生じることなく接続できるようになっている。
【００２３】
このような排水ヘッダー２を上記の固定具１によって家屋の床下に設置する場合は、まず、図２に示すように、二つの固定具１，１を、排水ヘッダー２の下流側の端部閉塞材２ｄの凹溝２ｈと、上流側端部のヘッダー用継手２ｂの凹溝２ｈの下方にそれぞれ配置して、双方の固定具１，１の基板１ａ，１ａを基礎コンクリート面にビス４で固定する。そして、上方から排水ヘッダー２を双方の固定具１，１の保持帯１ｃ，１ｃに嵌め込んで保持させる。このとき、保持帯１ｃの左右上端のガイド部１ｉ，１ｉによってヘッダー押え片１ｈ，１ｈが左右に弾性的に拡開するため、排水ヘッダー２を容易に嵌め込むことができる。
【００２４】
このように排水ヘッダー２を保持帯１ｃに保持させると、保持帯１ｃが下流側の端部閉塞材２ｄの凹溝２ｈと、上流側端部のヘッダー用継手２ｂの凹溝２ｈに下方から嵌まり込むため、排水ヘッダー２が長手方向に移動不能に固定される。そして、排水ヘッダー２の端部閉塞材２ｄとヘッダー用継手２ｂが、保持帯１ｃの左右上端のヘッダー押え片１ｈ，１ｈによって押えられると同時に、排水ヘッダー２の浮上防止突起２ａ，２ａが保持帯１ｃのヘッダー押え片１ｈ，１ｈの孔１ｊ，１ｊに嵌まり込んで係合するため、排水ヘッダー２が浮上不能に固定される。
【００２５】
次いで、双方の固定具１，１の蝶ナット１ｋ，１ｋをそれぞれ緩めて保持帯１ｃの高さを調節することにより、排水ヘッダー２に一定の勾配をつけて所定の高さに設置し、その状態で再び蝶ナット１ｋ，１ｋを締め付けて固定する。そして、排水ヘッダー２の各接続口２ｇに、浴室、洗面台、台所等からの排水枝管（不図示）を接続すると共に、上流側及び下流側の端部閉塞材２ｃ，２ｄの接続口２ｎ，２ｎに上流側及び下流側の排水主管３ａ，３ｂを接続して、配管を行う。
【００２６】
このように排水主管３ａ，３ｂや排水枝管を接続すると、排水ヘッダー２を浮上させる力が作用する場合があるが、上記のように、排水ヘッダー２の浮上防止突起２ａ，２ａが、保持帯１ｃのヘッダー押え片１ｈ，１ｈの孔１ｊ，１ｊに嵌まり込んでいるため、排水ヘッダー２が浮き上がることはない。従って、排水ヘッダー２の浮上によって上流側の排水主管３ａや排水枝管の流れ勾配が減少したり、逆の流れ勾配がついたりして、排水の流れが悪くなる心配を解消することができる。
【００２７】
【発明の効果】
以上の説明から明らかなように、本発明の排水ヘッダーの固定具は、排水ヘッダーを上方から略Ｕ字状の保持帯に嵌め込むだけで簡単に装着、保持することができ、保持帯の高さ調節を行うことによって排水ヘッダーを所望の高さに保持することができると共に、排水ヘッダーの浮上を確実に阻止できるといった顕著な効果を奏する。そして、ヘッダー押え片の上端部を屈曲させてガイド部を形成したものは、排水ヘッダーの装着作業を一層容易に行うことができるといった効果を奏する。
【図面の簡単な説明】
【図１】本発明の一実施形態に係る排水ヘッダーの固定具の斜視図である。
【図２】同固定具の使用状態を示す斜視図である。
【図３】同固定具の使用状態における断面図である。
【図４】排水ヘッダーのヘッダー用継手をキャップを分離して示した正面図である。
【図５】同ヘッダー用継手の接続状態を示す正面図である。
【図６】排水ヘッダーの下流側の端部閉塞材を示す断面図である。
【図７】排水ヘッダーの上流側の端部閉塞材を示す断面図である。
【符号の説明】
１　排水ヘッダーの固定具
１ｂ　脚体
１ｃ　保持帯
１ｄ　スリット
１ｇ　ネジ杆
１ｈ　ヘッダー押え片
１ｉ　ガイド部
１ｊ　孔
２　排水ヘッダー
２ａ　浮上防止突起
２ｂ　ヘッダー用継手
２ｃ，２ｄ　端部閉塞材
【図１】
2004137732.tif 000003
【図２】
2004137732.tif 000004
【図３】
2004137732.tif 000005
【図４】
2004137732.tif 000006
【図５】
2004137732.tif 000007
【図６】
2004137732.tif 000008
【図７】
2004137732.tif 000009